(57)【要約】【課題】安定感を保つとともに、美観を損なわないディスプレイ収納システムを提供する。また、所望の画面サイズにて視聴することができるディスプレイ収納システムを提供する。【解決手段】ディスプレイ収納システム１００は、ディスプレイ１と、ディスプレイ１を収納する収納ラック２とを備えている。収納ラック２は、天板の一部が開口された箱体であって、開口された凹陥部にディスプレイ１を収納可能としている。収納ラック２は、凹陥部Ｈを介してディスプレイ１を支持するとともに上下動させる移動機構を備えており、ディスプレイ1の画面１１に映し出される画像サイズＳは、ディスプレイ1の露出量（露出している高さ）に応じて調整される。【選択図】図１
2008046211.tif 000002
【特許請求の範囲】
【請求項１】
ディスプレイと、該ディスプレイの画面の少なくとも一部を遮蔽可能な収納装置と、を備えたディスプレイ収納システムであって、
前記ディスプレイは、
前記収納装置から露出した前記ディスプレイの露出量に応じて、前記画面に表示される画像サイズを調整する画像サイズ制御手段を備えることを特徴とするディスプレイ収納システム。
【請求項２】
前記収納装置は、
前記ディスプレイの画面全体を露出させる第１の位置と、前記ディスプレイの画面の少なくとも一部を遮蔽する第２の位置との間で前記ディスプレイを移動させる移動手段を備えることを特徴とする請求項１記載のディスプレイ収納システム。
【請求項３】
前記移動手段は、
前記ディスプレイを支持する支持手段であるとともに、前記ディスプレイを上下動させる昇降手段であることを特徴とする請求項２記載のディスプレイ収納システム。
【請求項４】
前記収納装置は、
上方を開口した凹陥部を天板に備える箱体部材であって、前記ディスプレイの少なくとも一部を前記凹陥部に収納可能であり、
前記移動手段は、前記凹陥部の開口を介して前記ディスプレイを上下動させることを特徴とする請求項３記載のディスプレイ収納システム。
【請求項５】
前記移動手段は、
前記凹陥部内において、前記ディスプレイの左右縁部それぞれの前面及び背面に当接する各ローラを備え、該各ローラを同期して回転させることにより、前記ディスプレイを上下動させることを特徴とする請求項４記載のディスプレイ収納システム。
【請求項６】
前記ディスプレイは、
上下方向に延設されたラックを背面に備え、
前記移動手段は、
前記凹陥部内において、前記ラックと噛合うピニオンを備え、前記ピニオンを回動させることにより、前記ディスプレイを上下動させることを特徴とする請求項４記載のディスプレイ収納システム。
【請求項７】
前記移動手段は、
前記凹陥部内の前記天板下面に固定されたプーリーと、
前記凹陥部の底面に固定された線材巻取手段と、
一端を前記ディスプレイの下端に固定され、前記プーリーに巻き回されて他端を線材巻取手段に固定された線材と、
を備え、
前記線材巻取手段が前記線材を巻き取る又は巻き出すことにより、前記ディスプレイを上下動させることを特徴とする請求項４記載のディスプレイ収納システム。
【請求項８】
前記ディスプレイは、
上下方向に延設された筒状の軸受け部を背面に備え、
前記収納装置は、
前記軸受け部の中空孔に挿通された柱状のガイド部を備えることを特徴とする請求項５乃至７のいずれか１項に記載のディスプレイ収納システム。
【請求項９】
前記ディスプレイは、
左右側面それぞれに複数の係合孔を備え、
前記収納装置は、
前記凹陥部内に、前記係合孔に係合する移動可能な係合突起物を備え、
前記移動手段が前記ディスプレイを停止させるときは、前記係合突起物は前記係合孔に係合する位置まで移動して、前記ディスプレイを固定することを特徴とする請求項５乃至８のいずれか１項に記載のディスプレイ収納システム。
【請求項１０】
前記画像サイズ制御手段は、
前記ディスプレイが前記収納装置から露出している高さを露出量として検出する露出量検出手段と、
前記露出量検出手段が検出した露出量の、前記第１の位置における露出量に対する比率に、前記第１の位置における画像サイズを乗じて前記画面に表示される画像サイズを算出する画像サイズ算出手段と、
を備えることを特徴とする請求項３乃至９のいずれか１項に記載のディスプレイ収納システム。
【請求項１１】
前記露出量検出手段は、
前記移動手段が前記ディスプレイを移動させた移動量に基づいて、前記露出量を検出することを特徴とする請求項１０記載のディスプレイ収納システム。
【請求項１２】
前記移動手段は、
前記ディスプレイの電源を切ったときには、前記ディスプレイを前記第２の位置に移動させて、停止させることを特徴とする請求項２乃至１１のいずれか１項に記載のディスプレイ収納システム。
【発明の詳細な説明】
【技術分野】
【０００１】
本発明は、ディスプレイを収納するディスプレイ収納システムに関する。
【背景技術】
【０００２】
最近のテレビは、従来のブラウン管方式のものに代わって、薄型のプラズマディスプレイや液晶ディスプレイを搭載したものが広く普及しつつある。このようなディスプレイは、ブラウン管方式と比較して、省スペース性を実現できるため、設置方法や設置場所が多様となっている（例えば、特許文献１参照。）。
【０００３】
【特許文献１】特開２００１−８３８９１号公報
【発明の開示】
【発明が解決しようとする課題】
【０００４】
しかしながら、台上に支持スタンドを介して大型のプラズマディスプレイや液晶ディスプレイを載置する場合には、パネル自体、相当の重量を有する上、形状も横長となるため、前後方向に倒れやすく、装置自体が不安定となりやすいという問題がある。
【０００５】
また、大型のディスプレイを視聴していないときには、ディスプレイは単なる黒い板状の物体と化すため、インテリア上、美観を損ねるという問題もある。
【０００６】
さらには、大型のディスプレイであっても、常に大きな画面サイズで視聴したいわけではなく、時と場合に応じて、又はコンテンツの内容に応じて所望の画面サイズで映像を見たいという要望もある。
【０００７】
本発明は、上記の事情を鑑みてなされたものであり、その課題の一例としては、安定感を保つとともに、美観を損なわないディスプレイ収納システムを提供することにある。
【０００８】
また、その課題の一例としては、所望の画面サイズにて視聴することができるディスプレイ収納システムを提供することにある。
【課題を解決するための手段】
【０００９】
上記の課題を達成するため、請求項１記載のディスプレイ収納システムは、ディスプレイと、該ディスプレイの画面の少なくとも一部を遮蔽可能な収納装置と、を備えたディスプレイ収納システムであって、前記ディスプレイは、前記収納装置から露出した前記ディスプレイの露出量に応じて、前記画面に表示される画像サイズを調整する画像サイズ制御手段を備えることを特徴とする。
【発明を実施するための最良の形態】
【００１０】
以下、本発明の実施の形態を図面を用いて説明する。
【００１１】
（第１の実施の形態）
図１〜図３を参照して、本発明の第１の実施の形態に係るディスプレイ収納システム１００の機構について説明する。
【００１２】
図１は、ディスプレイ収納システム１００の外観図であり、図２及び図３は、ディスプレイ収納システム１００の断面図である。ここで、図１（ａ）は、ディスプレイ収納システム１００の平面図、図１（ｂ）〜（ｄ）は、ディスプレイ収納システム１００の正面図及び側面図である。本実施の形態においては、ディスプレイ１が露出する高さを３段階で調整可能であり、図１（ｂ）は最上の位置（以下、最上位置という）、図１（ｃ）は最下の位置（最下位置という）、図１（ｄ）は最下位置より１段階上の位置（以下、中間位置という）におけるディスプレイ収納システム１００の外観を示している。また、図２（ａ）は、図１におけるＡ−Ａ断面図、図２（ｂ）〜（ｄ）は、図１におけるＢ−Ｂ断面図及びＣ−Ｃ断面図である。詳しくは、図２（ｂ）〜（ｄ）は、それぞれ最上位置、最下位置、及び中間位置における状態を示しており、左側の図がＢ−Ｂ断面図、右側の図がＣ−Ｃ断面図である。また、図３は、図１におけるＤ−Ｄ断面図であり、図３（ａ）〜（ｃ）は、それぞれ最上位置、最下位置、及び中間位置の状態を示している。なお、図３（ａ）の右側の図は、ロック機構のロックが掛かった状態、図３（ａ）の左側の図は、ロック機構のロックが解除された状態、図３（ｂ）及び図３（ｃ）は、ロック機構のロックが掛かった状態を示している。
【００１３】
ディスプレイ収納システム１００は、大型の平面ディスプレイを形成するディスプレイ１（例えば、薄型のプラズマディスプレイや液晶ディスプレイなど）と、ディスプレイ１を収納する収納装置としての機能を有する収納ラック２と、を備えている。
【００１４】
収納ラック２は、天板の一部（後方部）が開口された箱体であって、開口された凹陥部Ｈにはディスプレイ１が収納可能となっている。なお、本実施の形態においては、ディスプレイ１全体を収納可能とするのではなく、最上位置以外の位置において、ディスプレイ１の一部を収納する構成となっている。また、収納ラック２は、凹陥部Ｈを介してディスプレイ１を支持するとともに上下動させる移動機構（詳しくは後述する）を備えており、上述した３段階の位置（最上位置、最下位置及び中間位置）においてディスプレイ１を停止させることができる。すなわち、ディスプレイ収納システム１００は、ディスプレイ１を最上位置において支持する場合には、画面１１全体を露出させ、ディスプレイ１を最上位置以外において支持する場合には、画面１１の一部（下部）を収納ラック１に遮蔽した状態にし、画面１１の残部（上部）を露出させるようにしている。
【００１５】
このように、ディスプレイ収納システム１００の移動機構は、ディスプレイ１を上下動自在に支持できるので、ディスプレイ１を視聴しないときには、ディスプレイ１を最下位置に下降させておけば、ディスプレイ１の安定感を保つことができるとともに、ディスプレイ1の露出も少なくなるので、設置空間の美観を損なわないという効果がある。
【００１６】
また、ディスプレイ収納システム１００の特徴としては、ディスプレイ1の画面１１に映し出される画像サイズＳは、ディスプレイ1の露出量（露出している高さ）に応じて調整されるようになっている。詳しくは、最上位置（高さｈ１）において最大画像サイズＳ１の画像が表示されるようになっており、最下位置（高さｈ２）及び中間位置（高さｈ３）においては、最上位置の露出量（高さｈ１）に基づいて按分比例された割合（ｈ２／ｈ１、ｈ３／ｈ１）により、画像サイズＳ２及びＳ３が決定されるようになっている（Ｓ２（縦，横サイズ）＝Ｓ１（縦，横サイズ）×ｈ２／ｈ１、Ｓ３（縦，横サイズ）＝Ｓ１（縦，横サイズ）×ｈ３／ｈ１）。すなわち、ディスプレイ収納システム１００は、ディスプレイ1の露出量に応じてユーザが視聴し得る最適の画像サイズＳを確保するようになっている。
【００１７】
なお、ディスプレイ１は薄型のディスプレイであるため、収納ラック２の奥行きを短くすることも可能であるが、ディスプレイ１を安定して支持するという観点から見ると、収納ラック２は、図示するように所定の奥行き（少なくともディスプレイ１の奥行きの３倍以上）を有することが好適である。そして、この場合には、図示するように収納ラック２の前面を開口させて収納棚を設けることで、ディスプレイ１と接続されるＡＶ機器（ＤＶＤレコーダなど）等を収納することができる。
【００１８】
次に、ディスプレイ収納システム１００の移動機構について詳しく説明する。本実施の形態においては、図２（Ｃ−Ｃ断面図）に示すように、ディスプレイ１に当接させたローラ２１を回転させることにより、ディスプレイ１を上下方向に移動させるようになっている。
【００１９】
弾性体（例えば、ゴムなど摩擦係数が高い物質）のローラ２１は、収納ラック２の凹陥部Ｈの上端に２対設置されている。各対のローラ２１は、ディスプレイ１の左右の画面枠１２の部分を支持及び摺動させるため、凹陥部Ｈの左右両端付近の対応する位置にそれぞれ配置されている。２対のローラ２１は、ローラ２１に接続された各モータ２２を同時に駆動することにより、同期をとって同じ回転数で回転するようになっている。なお、対となったローラ２１のうち、ディスプレイ１の前面に当接されたローラ２１と、背面に当接されたローラ２１とは、回転方向を逆にして回転制御される。
【００２０】
また、ローラ２１には、ローラ２１の回転量を検出する回転検出器２３が接続されており、回転検出器２３は、ディスプレイ１に映し出される画像サイズＳを算出するためのディスプレイ１の露出量検出手段として機能している。すなわち、回転検出器２３により検出されたローラ２１の回転量からディスプレイ１の移動量（例えば、ディスプレイ１が最下位置からどれくらいの距離を移動したか）を把握することができるので、これにより、露出しているディスプレイ１の高さを算出するようになっている。
【００２１】
また、ディスプレイ収納システム１００の移動機構は、ディスプレイ１を水平に保って円滑に上下動させるためのガイド機構を備えている。
【００２２】
ガイドシャフト２４は、収納ラック２の凹陥部Ｈの後方部から上下方向に伸びた円柱であり、ディスプレイ１の背面に上下方向に延設された筒状の軸受け１３の中空孔に挿通されている。このため、ディスプレイ１が上下動する際には、ディスプレイ１が左右に傾くことなく地面に垂直に上下動することが可能となっている。なお、ガイドシャフト２４の高さとしては、ディスプレイ１が最下位置に位置する状態において、ディスプレイ１に隠れる高さが美観的には好適である（図１（ｃ）参照）。
【００２３】
さらには、ディスプレイ収納システム１００の移動機構は、図３に示すように、ディスプレイ１の移動を停止させたときにディスプレイ１を固定支持するためのロック機構を備えている。
【００２４】
本実施の形態のロック機構は、収納ラック２の凹陥部Ｈの左右両端付近のそれぞれ上端に設けられたロックレバー２５と、ディスプレイ１の左右側面それぞれに設けられ、ロックレバー２５のロック爪２５ａに係合するロック爪受け１４とから構成されている。
【００２５】
ロックレバー２５は、ロックレバー２５に接続されたモータ２６を駆動することにより、ロックが解除された状態（図３（ａ）左参照）の位置とロックが掛かった状態の位置（図３（ａ）右参照）との間を回動するようになっている。
【００２６】
ロック爪受け１４は、ディスプレイ１の画面枠１２に形成され、ディスプレイ１が露出する３段階の高さ位置に合わせて設けられた３つの係合孔である。ディスプレイ１が停止するときは、この３つの係合孔のいずれかがロックレバー２５の設置位置で停止して、ロックレバー２５のロック爪２５ａと係合するようになっている。
【００２７】
このように、本実施の形態のロック機構は、ローラ２１で支持したディスプレイ１をさらに安定的に支持する役割を担っており、何らかの原因でローラ２１の支持が十分でなくても、ディスプレイ１の落下を防止することができる。
【００２８】
次に、図４を参照して、ディスプレイ収納システム１００におけるディスプレイ１の機能について説明する。図４は、ディスプレイ１の機能ブロック図である。
【００２９】
ディスプレイ１は、放送受信部１０１、操作情報入力部１０２、位置情報入力部１０３、映像・音声処理部１０４、移動情報出力部１０５、及びシステム制御部１０６を具備する構成である。
【００３０】
放送受信部１０１は、放送ネットワークを介して放送データ（放送番組のコンテンツデータを意味し、映像データ、音声データ及び文字データを含む情報）を受信するようになっている。操作情報入力部１０２は、ディスプレイ１を操作制御するリモートコントローラ（以下、リモコンという）から送信された操作情報を受信するようになっており、本実施の形態においては、ディスプレイ１を移動操作する操作情報（移動操作情報という；具体的には、ディスプレイ１の上昇を指示する上昇操作情報、下降を指示する下降操作情報を意味する）を含む。位置情報入力部１０３は、ローラ２１の回転量を検出する信号（ディスプレイ1の位置を示す位置情報）を回転検出器２３から入力するようになっている。
【００３１】
映像・音声処理部１０４は、受信した放送データを音声データ及び映像データに変換し、変換した音声データ及び映像データを出力するようになっている。移動制御情報出力部１０５は、ユーザからの操作情報に従って、ローラ２１の回転を制御する信号（移動制御情報）をモータ２２に出力するようになっている。
【００３２】
システム制御部１０６は、ディスプレイ１全体の制御を行っており、具体的には、システム制御部１０６の内部には、演算・制御処理の主体となるＣＰＵ、所定の制御プログラムが記録されたＲＯＭ、ワークエリアなどとして利用されるＲＡＭ等が設けられている。より詳しくは、システム制御部１０６は、ユーザからの操作情報に従って、受信した放送データを画面及びスピーカに出力する制御を行っている。また、ユーザからの操作情報及びディスプレイ１の位置情報に基づいて、ディスプレイ１のディスプレイ１を上下動させる制御を行うとともに、画像サイズ制御手段としてディスプレイ１の画像サイズＳの大きさを調整するようになっている。
【００３３】
次に、図５及び図６を参照して、ディスプレイ収納システム１００におけるディスプレイ1の移動制御及び画像サイズ制御に関する処理について説明する。図５は、ディスプレイ１の電源がＯＮの状態で移動操作情報を受信したときの動作を示すフローチャート、図６は、ディスプレイ１の電源をＯＦＦにしたときの動作を示すフローチャートである。なお、図５及び図６に示す処理は、システム制御部１０６のＣＰＵによって行われるものである。
【００３４】
まず、ディスプレイ１の電源がＯＮの状態で移動操作情報を受信したときの動作について説明する。
【００３５】
システム制御部１０６は、操作情報入力部１０２を介して移動操作情報を入力すると、ディスプレイ１を上下動させる移動制御情報を移動制御情報出力部１０５を介してモータ２２に出力する（ステップＳ１０，Ｓ２０）。この結果、モータ２２が移動制御情報に従ってローラ２１を回転制御するので、ディスプレイ１は所望の位置まで移動（上昇／下降）して、停止する。勿論、停止した際には、上述したロック機構が機能する。なお、本実施の形態においては、リモコンの上昇ボタンを押下したときには、ディスプレイ１が１段階上方に移動するようになっており、また、リモコンの下降ボタンを押下したときには、ディスプレイ１が１段階下方に移動するようになっている。
【００３６】
次に、システム制御部１０６は、回転検出器２３から位置情報入力１０３を介して現在のディスプレイ１の位置情報を入力し、この位置情報を基にディスプレイ１の露出量を算出する（ステップＳ３０，Ｓ４０）。
【００３７】
最後に、システム制御部１０６は、算出したディスプレイ１の露出量に応じて、画像サイズＳの大きさを決定する（ステップＳ５０）。この結果、ディスプレイ１は、ディスプレイ１の露出量に応じて最適な画像サイズＳで映像データを表示する。
【００３８】
このように、本実施の形態においては、ユーザの嗜好に応じて、ディスプレイ１を上下動させ、露出したディスプレイ１の画面１１の大きさに応じて、最適な画像サイズＳで映像データを表示することができる。例えば、スポーツを観戦したいときには、大画面で視聴したいので、ディスプレイ１を上昇させ、最大画像サイズＳ１で映像データを表示させることができる。また、所定の作業をしながら、ニュースなどの情報番組の音声を聴くような場合には、ディスプレイを下降させて、小さな画像サイズで映像データを表示させることができる。
【００３９】
次に、ディスプレイ１の電源をＯＦＦにしたときの動作について説明する。
【００４０】
システム制御部１０６は、電源ＯＦＦを検知すると、現在、ディスプレイ１が最下位置に位置するか否かを判定する（ステップＳ１１０，Ｓ１２０）。なお、ディスプレイ１が最下位置に位置するか否かは、ディスプレイ１の位置情報を入力することにより判断する。ディスプレイ１が最下位置に位置するときは、ディスプレイ１の移動制御に関する処理は行わず、処理を終了する。一方、ディスプレイ１が最下位置に位置しないときは、現在の位置から最下位置まで移動させる移動制御情報をモータ２２に出力する（ステップＳ１３０）。この結果、ディスプレイ１は、最下位置まで下降する。
【００４１】
このように本実施の形態においては、電源ＯＦＦ時には、ディスプレイ１を最下位置まで移動させて停止させるので、ディスプレイ１を視聴しないときには揺れや転倒の恐怖感がなく、安定感を保つことができる。また、ディスプレイ１を視聴しないときには、ディスプレイ１の画面１１の一部を遮蔽して収納するので、設置空間の美観を損なうこともない。また、ディスプレイ１を視聴しているときに、地震等の天災により揺れが発生しても、ディスプレイ１の電源をＯＦＦにすることで、ディスプレイ１を最下位置に移動させることができるので安心である。
【００４２】
なお、本実施の形態の移動操作においては、１回の上昇／下降ボタンの操作により、１段階の上昇／下降を制御し、複数段階の上昇／下降を制御するには、複数回の上昇／下降ボタンの操作を必要とする移動機構としたが、これとは別に、上昇／下降ボタンの操作を停止するまで（上昇／下降ボタンを押下している間中）、上昇／下降を継続するような移動機構としてもよい。
【００４３】
また、ディスプレイ１の電源をＯＮにしたときのディスプレイ１の移動動作を規定してもよく、予めディスプレイ１の電源ＯＮ時のデフォルトの高さ（上述した３段階の高さのいずれか）を決めておき、ディスプレイ１の電源ＯＮ時には、このデフォルトの高さまでディスプレイ１を移動制御するような機能を加えてもよい。
【００４４】
以上、述べたように本実施の形態のディスプレイ収納システム１００によれば、ディスプレイ1を上下動させる移動機構を備えているので、ディスプレイ1を使用しないときには、ディスプレイ1を下降させて、画面１１の一部を収納することにできる。この結果、安定感を保ってディスプレイを支持することができるとともに、室内空間の美観を損なわないという効果がある。
【００４５】
また、ディスプレイ収納システム１００によれば、ディスプレイ1の露出量に応じて、最適な画像サイズＳを決定することができるので、ディスプレイ１の上下動を指示することにより、所望の画像サイズＳで映像データを視聴することができる。つまり、ディスプレイ１の移動制御により、コンテンツの内容や自らの嗜好に応じた画像サイズＳを得ることができる。
【００４６】
また、ディスプレイ収納システム１００によれば、ディスプレイ１の上下動をガイドするガイド機構を備えているので、ディスプレイ１を水平に保ったまま正確にディスプレイ１を上下動させることができる。
【００４７】
また、ディスプレイ収納システム１００によれば、ディスプレイ１を固定して支持するロック機構を備えているので、より安定してディスプレイ１を支持することができる。
【００４８】
さらには、ディスプレイ収納システム１００によれば、ディスプレイ１が上昇した後に拡大された画像サイズＳで映像を表示するので、例えば、映画館で映画を観るときに、予告編が始まると小さいスクリーンサイズが大きくなって、気分を高揚させるのと同様に、視聴前の気分を高揚させることができる。
【００４９】
なお、本実施の形態においては、ディスプレイ１の露出量を検出する露出量検出手段として、回転検出器２３を用いたが、露出量検出手段としてはこれに限定されず、種々のものが想定される。例えば、光学式センサを用いてディスプレイ１の露出量を検出するようにしてもよい。具体的には、凹陥部Ｈ内において、ディスプレイ１の画面枠１２に発光可能な位置に光学式センサを設置し、また、ディスプレイ１の画面枠１２には、上下方向に所定の間隔（ディスプレイ１の３段階の停止位置に応じて）をおいて光を反射する反射部材を設置して、反射部材が光学式センサの位置を移動するときには、光学式センサが反射部材から反射された光を受光するような構成としてもよい。すなわち、光学式センサの受光部が反射光を検出する光検出回数に基づいて、ディスプレイ１の露出量を検出するようにしてもよい。
【００５０】
（第２の実施の形態）
次に、図７を参照して、本発明の第２の実施の形態に係るディスプレイ収納システム２００について説明する。
【００５１】
図７は、ディスプレイ収納システム２００の断面図である。なお、ディスプレイ収納システム２００は、その外観において第１の実施の形態のディスプレイ収納システム１００と略同一であるため、ディスプレイ収納システム２００の外観図については省略する（図１と略同一）。図７（ａ）は、図１に対応する図面におけるＡ−Ａ断面図、図７（ｂ）〜（ｄ）は、図１に対応する図面におけるＢ−Ｂ断面図及びＣ−Ｃ断面図である。詳しくは、図７（ｂ）〜（ｄ）は、それぞれ最上位置、最下位置、及び最上位置と最下位置との間の中間位置におけるＢ−Ｂ断面図及びＣ−Ｃ断面図であり、左側の図がＢ−Ｂ断面図、右側の図がＣ−Ｃ断面図である。なお、本実施の形態においては、第１の実施の形態と異なる構成及び機能のみ説明し、その他の構成及び機能に関しては同一部分には同一符号を付して、説明を省略する。
【００５２】
ディスプレイ収納システム２００は、大型の平面ディスプレイを形成するディスプレイ３（例えば、薄型のプラズマディスプレイや液晶ディスプレイなど）と、ディスプレイ３を収納する収納装置としての機能を有する収納ラック４と、を備えている。
【００５３】
収納ラック４は、第１の実施の形態の収納ラック２と移動機構だけが異なっており、その他の構成は同一である。すなわち、収納ラック４は、ディスプレイ３の一部を凹陥部Ｈに収納可能としており、最上位置以外においてディスプレイ３の一部（上部）を露出する構成となっている。
【００５４】
ディスプレイ収納システム２００の移動機構は、ラック＆ピニオン方式を採用しており、ディスプレイ３に設けられたラック（ラックギア）３１と収納ラック４の凹陥部Ｈに設けられたピニオン（ピニオンギア）が噛合することにより、ディスプレイ３を上下方向に移動させるようになっている。
【００５５】
ラック３１は、ディスプレイ３の背面の左右両端それぞれに上下方向に延設されている。なお、ラック３１は、凹陥部Ｈの深さと略同一の長さを有する棒状の歯型であり、ディスプレイ３の下端から上方に向かって形成されている。
【００５６】
ピニオン４１は、ラック３１と噛合させるための歯車であり、収納ラック４の凹陥部Ｈ後方の左右両端付近の上端にそれぞれ設置されている。２つのピニオン４１は、各ピニオン４１に接続された各モータ４２を同時に駆動することにより、同期をとって同じ回転数で回転するようになっている。また、ピニオン４１には、ピニオン４１の回転量を検出する回転検出器４３が接続されており、回転検出器４３は、ディスプレイ３に映し出される画面サイズＳを算出するための画面１１の露出量検出手段として機能している。なお、ディスプレイ収納システム２００の移動機構は、ディスプレイ３を円滑かつ正確に上下動させるためのガイド機構（ガイドシャフト２４及び軸受け１３）を備えているが、ロック機構は備えていない。すなわち、本実施の形態においては、第１実施の形態と異なり、ディスプレイ３は、無段階で停止可能である（予め決められた高さに段階的に調整されるのではなく、ラック３１が形成された位置であればどの高さでも支持できる）。そのため、リモコンの上昇／下降ボタンを押下している間、ディスプレイ３は上下動し続け、上昇／下降ボタンの押下を停止すると、その時点の位置でディスプレイ３は停止する。
【００５７】
また、ディスプレイ収納システム２００の特徴としては、第１実施形態と同様に、ディスプレイ３の画面１１に映し出される画像サイズＳは、ディスプレイ３の露出量（露出している高さ）に応じて調整されるようになっている。
【００５８】
なお、ディスプレイ３の機能構成、及びディスプレイ３の移動制御及び画像サイズ制御に関する処理は、第１実施形態と略同一であるので、説明を省略する（図４〜図６参照）。
【００５９】
以上、本実施の形態のディスプレイ収納システム２００によれば、第１実施形態と同様に、ディスプレイ３を上下動させる移動機構を備えているので、ディスプレイ３を使用しないときには、ディスプレイ３を下降させて、画面１１の一部を収納することにできる。この結果、安定感を保ってディスプレイを支持することができるとともに、室内空間の美観を損なわないという効果がある。
【００６０】
また、ディスプレイ収納システム２００によれば、ディスプレイ３の露出量に応じて、最適な画像サイズＳを決定することができるので、ディスプレイ３の上下動を指示することにより、所望の画像サイズＳで映像データを視聴することができる。つまり、ディスプレイ３の移動制御により、コンテンツの内容や自らの嗜好に応じた画像サイズＳを得ることができる。
【００６１】
さらには、ディスプレイ収納システム２００は無段階でディスプレイ３の高さ位置を調整可能であるので、よりきめ細やかにディスプレイ３の露出量を設定することができる。これにより、画像サイズＳも、きめ細やかな設定が可能である。
【００６２】
また、ディスプレイ収納システム２００によれば、ディスプレイ３の上下動をガイドするガイド機構を備えているので、ディスプレイ３を水平に保ったまま正確にディスプレイ３を上下動させることができる。さらには、ディスプレイ収納システム２００によれば、ディスプレイ３が上昇した後に拡大された画像サイズＳで映像を表示するので、視聴前の気分を高揚させることができる。
【００６３】
なお、本実施の形態においても、第１の実施の形態と同様に、ロック機構を備えるようにしてもよい。この場合には、第１の実施の形態と同様に、ロック爪受け１４の係合孔の位置で段階的にディスプレイ３の高さを調整することができるとともに、より安定してディスプレイ３を支持することができる。また、本実施の形態においても、第１の実施の形態と同様に、ディスプレイ３の露出量を検出する露出量検出手段として、光学式センサを用いてもよい。
【００６４】
（第３の実施の形態）
次に、図８及び図９を参照して、本発明の第３の実施の形態に係るディスプレイ収納システム３００について説明する。
【００６５】
図８は、ディスプレイ収納システム３００の外観図であり、図９は、ディスプレイ収納システム３００の断面図である。ここで、図８（ａ）は、ディスプレイ収納システム３００の平面図、図８（ｂ）〜（ｄ）は、ディスプレイ収納システム３００の正面図及び側面図である。本実施の形態においては、ディスプレイ５が露出する高さを無段階で調整可能であり、図８（ｂ）は最上位置、図８（ｃ）は最下位置、図８（ｄ）は最上位置と最下位置の間の中間位置におけるディスプレイ収納システム３００の外観を示している。また、図９（ａ）は、図８におけるＡ−Ａ断面図、図９（ｂ）〜（ｄ）は、図８におけるＢ−Ｂ断面図及びＣ−Ｃ断面図である。詳しくは、図９（ｂ）〜（ｄ）は、それぞれ最上位置、最下位置、及び中間位置におけるＢ−Ｂ断面図及びＣ−Ｃ断面図であり、左側の図がＢ−Ｂ断面図、右側の図がＣ−Ｃ断面図である。なお、本実施の形態においても、上記実施の形態と異なる構成及び機能のみ説明し、その他の構成及び機能に関しては同一部分には同一符号を付して、説明を省略する。
【００６６】
ディスプレイ収納システム３００は、大型の平面ディスプレイを形成するディスプレイ５（例えば、薄型のプラズマディスプレイや液晶ディスプレイなど）と、ディスプレイ５を収納する収納装置としての機能を有する収納ラック６とを備えている。
【００６７】
収納ラック６は、第１の実施の形態の収納ラック２と凹陥部Ｈの形成位置（前方部に形成されている）及び移動機構だけが異なっており、その他の構成は同一である。すなわち、収納ラック６は、ディスプレイ５の一部を凹陥部Ｈに収納可能としており、最上位置以外においてディスプレイ１の一部（上部）を露出する構成となっている。
【００６８】
ディスプレイ収納システム３００の移動機構は、ディスプレイ５の背面中央部の下端に取り付けられた線材の長さを調整することにより、ディスプレイ５を上下方向に移動させるようになっている。
【００６９】
プーリー（滑車）５１は、収納ラック６の凹陥部Ｈ内において、開口付近の天板下面の中央部に固定されている。プーリー５１にはベルト５２が巻き回され、ベルト５２の一端は、ディスプレイ５の背面中央部の下端に設けられたベルト固定部５３に固定され、ベルト５２の他端は、収納ラック６の凹陥部Ｈ内であって、底板上面の中央部に固定されたベルト巻取装置５４に取り付けられている。
【００７０】
ベルト巻取装置５４にはモータ（図示せず）が接続されており、モータを駆動することにより、ベルト巻取装置５４はベルト５２を巻き取り、又は巻き出すようになっている。この結果、ディスプレイ５は上下動する。
【００７１】
また、ベルト巻取装置５４には、ベルト巻取装置５４の回転量を検出する回転検出器５５が接続されており、回転検出器５５は、ディスプレイ５に映し出される画像サイズＳを算出するためのディスプレイ５の露出量検出手段として機能している。なお、ディスプレイ収納システム３００の移動機構は、第２の実施の形態と同様であって、ディスプレイ３を円滑かつ正確に上下動させるためのガイド機構（ガイドシャフト２４及び軸受け１３）を備えているが、ロック機構は備えていない。
【００７２】
勿論、本実施の形態においても、ディスプレイ収納システム３００の特徴として、ディスプレイ５の画面１１に映し出される画像サイズＳは、ディスプレイ５の露出量（露出している高さ）に応じて調整されるようになっている。
【００７３】
なお、ディスプレイ５の機能構成、及びディスプレイ５の移動制御及び画像サイズ制御に関する処理は、上記実施形態と略同一であるので、説明を省略する（図４〜図６参照）。
【００７４】
以上、本実施の形態のディスプレイ収納システム３００によれば、上記実施形態と同様に、ディスプレイ３を上下動させる移動機構を備えているので、ディスプレイ５を使用しないときには、ディスプレイ５を下降させて、画面１１の一部を収納することにできる。この結果、安定感を保ってディスプレイを支持することができるとともに、室内空間の美観を損なわないという効果がある。
【００７５】
また、ディスプレイ収納システム３００によれば、ディスプレイ５の露出量に応じて、最適な画像サイズＳを決定することができるので、ディスプレイ５の上下動を指示することにより、所望の画像サイズＳで映像データを視聴することができる。つまり、ディスプレイ５の移動制御により、コンテンツの内容や自らの嗜好に応じた画像サイズＳを得ることができる。
【００７６】
また、ディスプレイ収納システム３００は無段階でディスプレイ５の高さ位置を調整可能であるので、よりきめ細やかにディスプレイ５の露出量を設定することができる。これにより、画像サイズＳも、きめ細やかな設定が可能である。
【００７７】
さらには、ディスプレイ収納システム３００によれば、ディスプレイ１の移動機構としてベルト５２を用いているため、ディスプレイ１の移動の際の音が静かであるという効果がある。
【００７８】
また、ディスプレイ収納システム３００によれば、ディスプレイ５の上下動をガイドするガイド機構を備えているので、ディスプレイ５を水平に保ったまま正確にディスプレイ５を上下動させることができる。さらには、ディスプレイ収納システム３００によれば、ディスプレイ５が上昇した後に拡大された画像サイズＳで映像を表示するので、視聴前の気分を高揚させることができる。
【００７９】
なお、本実施の形態においても、第１の実施の形態と同様に、ロック機構を備えるようにしてもよい。この場合には、第１の実施の形態と同様に、ロック爪受け１４の係合孔の位置で段階的にディスプレイ５の高さを調整することができるとともに、より安定してディスプレイ５を支持することができる。また、本実施の形態においても、第１の実施の形態と同様に、ディスプレイ３の露出量を検出する露出量検出手段として、光学式センサを用いてもよい。
【００８０】
（その他実施の形態）
以上、本発明の実施の形態について説明してきたが、本発明の要旨を逸脱しない範囲において、本発明の実施の形態に対して種々の変形や変更を施すことができる。例えば、上記の実施の形態のディスプレイ収納システムでは、ディスプレイを上下動させる移動手段として、ローラ、ラック＆ピニオン、ベルトを用いた例を挙げて説明したが、本発明の移動手段としてはこれに限定されず、ディスプレイを上下動させる機構であれば特に限定されないものである。例えば、駆動機構としては、モータ以外の油圧や空気圧の力によりディスプレイを上下動させるようにしてもよい。また、支持機構としては、昇降する屈折式のリフタの台上にディスプレイを載置して、上下動させるようにしてもよい。
【００８１】
また、上記実施の形態のディスプレイ収納システムでは、最下位置でもディスプレイの一部を露出するようにしたが、これとは別に、最下位置においてディスプレイ全体を収納して、ディスプレイを露出させないような構成としてもよい。
【００８２】
また、上記実施の形態のディスプレイ収納システムでは、ディスプレイを収納する収納装置として、収納ラックを一例として挙げたが、収納装置としてはこれに限定されず、ディスプレイの少なくとも一部を収納可能な物であれば何であってもよい。例えば、床（地面）と一体化されたディスプレイ収納システムであって、床下にディスプレイを収納可能な凹陥部を設け、当該凹陥部からディスプレイが上昇するように構成してもよい。
【００８３】
また、上記実施の形態では、ディスプレイが上下動することにより、ディスプレイの露出量を可変としたが、ディスプレイの露出量を可変とする仕組みはこれに限定されず、ディスプレイの画面を遮蔽する仕組みであれば何であってもよい（ディスプレイを移動させない機構であってもよい）。例えば、ディスプレイ全体を収納した収納装置の前面に設けられた扉を、観音開きさせることにより、遮蔽されたディスプレイを露出させ、ディスプレイの露出量を調整するようにしてもよい。また、ディスプレイ全体を収納した収納装置の前面に設けられた扉を上下方向又は左右方向に移動させることにより、遮蔽されたディスプレイを露出させ、ディスプレイの露出量を調整してもよい。
【００８４】
また、上記実施の形態の移動機構では、ディスプレイの移動方向としては、上下方向だけであったが、ディスプレイの露出量に応じて、ディスプレイを前後方向に傾けるチルト機構を備えていてもよい。例えば、ディスプレイの露出が少なく、画像サイズが小さいときは、ユーザが画面を見やすいように上方向にディスプレイを傾けるようにしてもよい。
【００８５】
また、上記実施形態では、リモコンによる操作指示、電源ＯＮ、又は電源ＯＦＦを契機にディスプレイが移動するように制御したが、ディスプレイが移動する契機はこれに限定されず、それ以外の契機に基づいてディスプレイを移動制御するようにしてもよい。例えば、ディスプレイと接続されたＡＶ機器の再生動作を契機にディスプレイが上昇するように移動制御してもよく、ＤＶＤプレーヤーがディスクを挿入することにより、最下位置に停止していたディスプレイが最上位置まで上昇するようにしてもよい。
【００８６】
また、リモコンによる操作指示以外を契機にディスプレイを上下動させる場合には、画面１１に表示出力されるコンテンツの内容に応じて、自動的に画像サイズを決定し、決定された画像サイズに従って、ディスプレイを移動制御するようにしてもよい。例えば、コンテンツが映画のときは、ディスプレイの画像サイズを最大限とし、この画像サイズを露出する移動量だけディスプレイを移動させるようにしてもよい。
【００８７】
また、上記実施の形態では、ディスプレイの露出量に応じて、デイスプレイに表示される画像サイズの制御を行うようになっていたが、これに加えて音量も調整するようにしてもよい。例えば、画像サイズに合わせて音量を調整してもよく、画像サイズが大きいときは、大音量で音を出力するようにしてもよい。
【００８８】
さらに、上記実施の形態のディスプレイ収納システムでは、ディスプレイがリモコンからの移動操作情報を受信し、受信した移動操作情報に基づいてディスプレイの移動制御を行う構成であったが、これとは別に、収納ラック側に移動操作情報を受信する装置を設け、収納ラックの当該装置が移動操作情報を受信することで、ディスプレイの移動制御を行うようにしてもよい。特に、最下位置においてディスプレイ全体が収納されるような構成のディスプレイ収納システムを採用する場合には、ディスプレイ側で移動操作情報を受信しにくい状況となるので、好適に適用できるものである。
【図面の簡単な説明】
【００８９】
【図１】本発明の第１の実施の形態に係るディスプレイ収納システムの外観図（平面図、正面図、側面図）である。
【図２】図１におけるＡ−Ａ断面図、Ｂ−Ｂ断面図、及びＣ−Ｃ断面図である。
【図３】図１におけるＤ−Ｄ断面図である。
【図４】本発明の第１の実施の形態に係るディスプレイ収納システムのディスプレイの機能ブロック図である。
【図５】本発明の第１の実施の形態に係るディスプレイ収納システムの移動制御及び画像サイズ制御に関する処理のフローチャートである。
【図６】本発明の第１の実施の形態に係るディスプレイ収納システムの移動制御及び画像サイズ制御に関する処理のフローチャートである。
【図７】本発明の第２の実施の形態に係るディスプレイ収納システムのＡ−Ａ断面図、Ｂ−Ｂ断面図、及びＣ−Ｃ断面図である。
【図８】本発明の第３の実施の形態に係るディスプレイ収納システムの外観図（正面図、平面図、側面図）である。
【図９】図８におけるＡ−Ａ断面図、Ｂ−Ｂ断面図、及びＣ−Ｃ断面図である。
【符号の説明】
【００９０】
１，３，５  ディスプレイ
２，４，６  収納ラック
１１  画面
１２  画面枠
１３  軸受け
１４  ロック爪受け
２１  ローラ
２２，２６，４２  モータ
２３，４３，５５  回転検出器
２４  ガイドシャフト
２５  ロックレバー
３１  ラック
４１  ピニオン
５１  プーリー
５２  ベルト
５３  ベルト固定部
５４  ベルト巻取装置
１００，２００，３００  ディスプレイ収納システム
１０１  放送受信部
１０２  操作情報入力部
１０３  位置情報入力部
１０４  映像・音声処理部
１０５  移動制御情報出力部
１０６  システム制御部
【図１】
2008046211.tif 000003
【図２】
2008046211.tif 000004
【図３】
2008046211.tif 000005
【図４】
2008046211.tif 000006
【図５】
2008046211.tif 000007
【図６】
2008046211.tif 000008
【図７】
2008046211.tif 000009
【図８】
2008046211.tif 000010
【図９】
2008046211.tif 000011